(57)【要約】【課題】サッシを形成する縦枠と横枠との接合線（継ぎ目）から雨水等の水分が侵入することを防止できる防水サッシ及びこれに用いる防水部材を提供する。【解決手段】防水サッシ１５は、対向配置されて略矩形形状に形成されている横枠２及び縦枠３と、前記横枠２を形成し、建物躯体に固定される壁固定横片４と、前記横枠２を形成し、前記壁固定横片４から連続して略直交方向に延びる突出横片５と、前記縦枠３を形成し、前記突出横片５の端部側面に接合される突出縦片６と、前記横枠２と前記縦枠３との接合部で外部に露出する接合線と、該接合線を覆う防水部材１６とを備えている。【選択図】        図５
2015218483.tif 000002
【特許請求の範囲】
【請求項１】
対向配置されて略矩形形状に形成されている横枠及び縦枠と、
前記横枠を形成し、建物躯体に固定される壁固定横片と、
前記横枠を形成し、前記壁固定横片から連続して略直交方向に延びる突出横片と、
前記縦枠を形成し、前記突出横片の端部側面に接合される突出縦片と、
前記横枠と前記縦枠との接合部で外部に露出する接合線と、
該接合線を覆う防水部材とを備えたことを特徴とする防水サッシ。
【請求項２】
前記接合線は前記突出横片と前記突出縦片との接合部分での上側及び前側に形成されていて、
前記防水部材は、前記上側の接合線を覆っている覆い片と連続して形成されて前記突出縦片の上部を覆う覆い側片を有していることを特徴とする請求項１に記載の防水サッシ。
【請求項３】
前記縦枠は、前記突出縦片と連続して形成され、前記建物躯体に固定されて且つ前記壁固定横片の端部側面に接合される壁固定縦片を有し、
前記防水部材は、少なくとも前記壁固定横片及び壁固定縦片が接合して形成される接合線のうち前側に露出する部分を覆っていて、前記覆い片と連続している覆い上片を有していることを特徴とする請求項１又は２に記載の防水サッシ。
【請求項４】
前記上側の接合線を覆う前記覆い片と、
該覆い片と連続して形成され、前記前側の接合線を覆う覆い前片と、
前記覆い片と連続して形成され、前記突出縦片の上部を覆う覆い側片と、
少なくとも前記壁固定横片及び壁固定縦片が接合して形成される接合線のうち前面に露出する部分を覆っていて、前記覆い片と連続している覆い上片とを備えたことを特徴とする請求項３に記載の防水サッシに用いる防水部材。
【発明の詳細な説明】
【技術分野】
【０００１】
本発明は、サッシを構成する部材の継ぎ目から雨水等の水分が浸入することを防止するための防水サッシ及びこれに用いる防水部材に関するものである。
【背景技術】
【０００２】
建物の躯体に対して窓となる部分を形成するために、サッシが用いられている。サッシは建物躯体に取り付けられ、その後このサッシに窓が取り付けられる。このサッシは外部に露出して取り付けられているので、雨や雪にさらされることになる。サッシは略矩形形状を有していて、対向する２本の縦枠及び横枠が互いに密着して接合することで形成されている。しかしながら、この接合は縦枠が横枠の端部側面に配されることで行われている。すなわち、互いの密着面が略鉛直方向に平行に配されるので、接合後に外部に露出する縦枠と横枠との接合線はサッシの上側（上部）及び前側（前部）に形成される。この縦枠と横枠との密着部分はねじ等で接合されているが、この接合線から水分が浸入することがある。特に、雨等は上方から降ってくるので、サッシ上部に露出する接合線から水分が浸入しやすくなっている。接合線にシーリング剤を施しても、経年とともにシーリング剤も劣化するので、接合線から雨水等が浸入して建物内に浸水するおそれがある。
【０００３】
サッシを介した水分の侵入を防止するものとして特許文献１に開示されるような防水構造が知られているが、上記のような縦枠と横枠との接合線が鉛直方向に形成されることを想定して防水を実現することについてはまだ知られていない。
【先行技術文献】
【特許文献】
【０００４】
【特許文献１】登録実用新案第３０５２４３１号公報
【発明の概要】
【発明が解決しようとする課題】
【０００５】
本発明は、上記従来技術を考慮したものであり、サッシを形成する縦枠と横枠との接合線（継ぎ目）から雨水等の水分が侵入することを防止できる防水サッシ及びこれに用いる防水部材を提供することを目的とする。
【課題を解決するための手段】
【０００６】
前記目的を達成するため、本発明では、対向配置されて略矩形形状に形成されている横枠及び縦枠と、前記横枠を形成し、建物躯体に固定される壁固定横片と、前記横枠を形成し、前記壁固定横片から連続して略直交方向に延びる突出横片と、前記縦枠を形成し、前記突出横片の端部側面に接合される突出縦片と、前記横枠と前記縦枠との接合部で外部に露出する接合線と、該接合線を覆う防水部材とを備えたことを特徴とする防水サッシを提供する。
【０００７】
好ましくは、前記接合線は前記突出横片と前記突出縦片との接合部分での上側及び前側に形成されていて、前記防水部材は、前記上側の接合線を覆っている覆い片と連続して形成されて前記突出縦片の上部を覆う覆い側片を有している。
【０００８】
好ましくは、前記縦枠は、前記突出縦片と連続して形成され、前記建物躯体に固定されて且つ前記壁固定横片の端部側面に接合される壁固定縦片を有し、前記防水部材は、少なくとも前記壁固定横片及び壁固定縦片が接合して形成される接合線のうち前側に露出する部分を覆っていて、前記覆い片と連続している覆い上片を有している。
【０００９】
さらに本発明は、好ましくは、前記上側の接合線を覆う前記覆い片と、該覆い片と連続して形成され、前記前側の接合線を覆う覆い前片と、前記覆い片と連続して形成され、前記突出縦片の上部を覆う覆い側片と、少なくとも前記壁固定横片及び壁固定縦片が接合して形成される接合線のうち前面に露出する部分を覆っていて、前記覆い片と連続している覆い上片とを備えたことを特徴とする防水部材を提供する。
【発明の効果】
【００１０】
本発明によれば、横枠と縦枠との接合線を覆う防水部材を備えているので、接合線からの水分の浸入を防止することができる。特に、突出横片の端部側面に突出縦片は接合されているので、このような構造の場合はその接合線が上部に露出する。雨水は上方から降ってくるので、この上部に露出する接合線を覆うことは浸水の防止に最も効果を奏することになる。
【００１１】
また、突出横片と突出縦片とで形成された上側の接合線を覆う覆い片と連続して突出縦片の上部を覆う覆い側片を防水部材に設けることで、側方からの雨水による浸水も防止することができる。
【００１２】
また、壁固定横片と壁固定縦片とが接合して形成される接合線のうち前面に露出する部分を覆う覆い上片を防水部材に設けることで、さらに確実にサッシ内への浸水を防止できる。
【図面の簡単な説明】
【００１３】
【図１】防水部材が非装着のサッシの角部を拡大した概略斜視図である。
【図２】防水部材が非装着のサッシの概略正面図である。
【図３】図２のＡ部拡大図である。
【図４】防水部材が非装着のサッシの一部を拡大した概略平面図である。
【図５】本発明に係る防水サッシの角部を拡大した概略斜視図である。
【図６】本発明に係る防水サッシの角部を拡大した概略正面図である。
【図７】本発明に係る防水サッシの角部を拡大した概略平面図である。
【図８】防水部材の概略斜視図である。
【図９】図８とは異なる方向から視た防水部材の概略斜視図である。
【図１０】後側から視た防水部材の概略斜視図である。
【発明を実施するための形態】
【００１４】
図1〜図４に示すように、本発明が適用されるサッシ１は、対向配置されて略矩形形状に形成されている横枠２及び縦枠３で形成されている。具体的には、横枠２は水平方向に平行に２本、縦枠は鉛直方向に平行に２本配されている。したがって、横枠２は上下にそれぞれ配され、この横枠２の左右両端に縦枠３が配されている。横枠２は、建物躯体に固定される壁固定横片４を備えている。壁固定横片４は建物躯体の側面にその面を当てられて固定されるので、建物躯体に取り付けられた際には鉛直方向に延びて配される。この壁固定横片４からは、突出横片５が連続して略直交方向（前方向）に延びている。具体的には、一枚の板を折り曲げて壁固定横片４と突出横片５とが形成されている。壁固定横片４と突出横片５とを別部材にて準備し、互いに接合して形成してもよい。
【００１５】
縦枠３は、突出横片５の端部側面に接合される突出縦片６を有している。上述したように横枠２は建物躯体に対して水平方向に取り付けられることから、突出横片５の端部側面は横枠２の左右側方に向けて露出している。突出横片５と突出縦片６とを接合することで、その接合部では接合線（継ぎ目）が外部に露出する。ここで外部に露出するとは、サッシ１の上側及び前側の位置に形成される接合線のことをいう。サッシ１の後ろ側に形成される接合線は建物躯体と密着するので露出していないし、突出横片５の下側に形成される接合線は横枠２及び縦枠３に覆われているので露出していないからである。なお、図の例では突出横片５は折り曲げられて段となっているが、このような場合は上側の接合線７ａ、７ｂと前側の接合線８ａ、８ｂとそれぞれ２本ずつ表出される。
【００１６】
突出横片５と突出縦片６との接合は、例えば図２に示すように突出縦片６側からねじ１２を挿通することで互いに固定する。このねじ１２をサッシ１の前側から視認できないように、突出縦片６に目隠し板１３を連続して設けてもよい。図に示すように、目隠し板１３は突出縦片６を左右側方に折り曲げて形成してもよい。なお、図の例では目隠し板１３をさらに後側に折り曲げて折り返し部１４を形成している。この目隠し板１３を設けることで、サッシ１の前側からねじ１２が視認できないようになるため、サッシ１の見栄えがよくなる。
【００１７】
また一方で、縦枠３は突出縦片６と連続して形成された壁固定縦片９を有している。壁固定縦片９は、建物躯体に固定される部分であり、突出縦片６と連続して例えば折り曲げられて形成されている。また、この壁固定縦片９は壁固定横片４の端部側面に接合されている。このため、壁固定横片４と壁固定縦片９との接合部にも外部に露出する上側の接合線７ｃ及び前側の接合線８ｃが形成される。なお、図ではこのサッシ１に窓１０が取り付けられた状態を示している。具体的には窓１０は框１１に組み込まれてサッシ１に取り付けられている。
【００１８】
本発明に係る防水サッシ１５は、上述したような構造を有するサッシ１を基本的な構造として有している。その最も不可欠な前提は、横枠２の左右側面に対して縦枠３が接合されていることである。詳しく言えば、突出横片５の端部側面に対して突出縦片６が接合されていて、その接合部に上側の接合線７ａが少なくとも形成されていることである。接合線７ａ〜７ｃ及び接合線８ａ〜８ｃからの浸水を防止するため、それぞれの接合線には防水シールとしてのシーリング剤（不図示）が施されている。本発明に係る防水サッシ１５は、このシーリング剤の経年劣化が生じても少なくとも接合線７ａからの浸水を防止できるものである。
【００１９】
具体的には、本実施例のように突出横片５に段が形成されている場合には、上側の接合線７ａ、７ｂを覆う覆い片１７ａ、１７ｂを有する防水部材１６をサッシ１の上部に配する（図５〜図７参照）。これにより、接合線７ａ、７ｂからの水分の浸入を防止することができる。特に、サッシ１は突出横片５の端部側面に突出縦片６が接合されているので、このような構造の場合はその接合線７ａ、７ｂが上部に露出している。雨水は上方から降ってくるので、この上部に露出する接合線７ａ、７ｂを覆うことは浸水の防止に最も効果を奏することになる。
【００２０】
さらに確実に防水効果を発揮させるため、接合線８ａ、８ｂをも覆う覆い前片１８ａ、１８ｂを防水部材１６に形成してもよい。この場合、覆い片１７ａ、１７ｂと覆い前片１８ａ、１８ｂとは連続して形成されている。これにより、防水サッシ１５の前側からの水分の浸入を防止できる。
【００２１】
さらに確実に防水効果を発揮させるため、防水部材１６に覆い側片１９を形成してもよい。この覆い側片１９は、突出縦片６の上部を左右側方側から覆うものである。覆い側片１９は、覆い片１７ａ、１７ｂと連続して形成されている。したがって、突出横片５と突出縦片６との接合部分である接合部は上側を覆い片１７ａ、１７ｂで、前側を覆い前片１８ａ、１８ｂで、側方側（横側）を覆い側片１９で覆われ、これら覆い片１７ａ、１７ｂ、覆い前片１８ａ、１８ｂ、覆い側片１９は連続して形成されているので、接合線７ａ、７ｂ、８ａ、８ｂへの水分の進入経路を塞ぐことができ、高い防水効果を得ることができる。すなわち、サッシ１５の側方からの雨水による浸水を防止することができる。また覆い側片１９により、ねじ１２も覆うことができるので、ねじ１２の挿通部分からの浸水も防止できる。したがって、覆い側片１９は、ねじ１２などの接合部材を覆う位置に形成されていることが好ましい。具体的には、覆い片１７ａ、１７ｂ、覆い前片１８ａ、１８ｂが突出横片５の内側から接合線７ａ、７ｂ、８ａ、８ｂを超えて外側に延び、目隠し板１３も超えた位置までさらに延び、その端部から覆い側片１９が垂れ下がって形成されている。
【００２２】
この防水部材１６は、例えば覆い片１７ａの下面に取り付けられた両面テープ２０により突出横片５に取り付けられる。この位置に両面テープ２０を設けることで、突出横片５を伝って覆い片１７ａと突出横片５との隙間から水分が浸入することを防止できる。覆い片１７ａと突出横片５との固定は、両面テープ２０に限らず、接着剤などの接合剤を使用できる。さらに水分が伝う箇所を閉鎖するため、両面テープ２０を覆い片１７ａ、１７ｂ及び覆い前片１８ａ、１８ｂの下面全面あるいは下面の前後方向に亘って連続して設けてもよい。
【００２３】
さらに確実に防水効果を発揮させるため、縦枠３が壁固定縦片９を有している場合には、接合線８ｃを覆う覆い上片２１を覆い片１７ｂと連続して形成してもよい。すなわち覆い上片２１は覆い片１７ｂに対して鉛直方向に折り曲げられて形成されている。これにより、接合線８ｃから浸水した水分がサッシ１５の内部に浸入することを防止できる。なお、図示はしないが、覆い上片２１の上部をさらに後方に折り曲げて接合線７ｃを覆う覆い部を形成してもよい。これにより露出する接合線を全て防水部材１６にて覆うことができるので、サッシ１５内部への浸水を完全に防ぐことができる。
【００２４】
防水部材１６について以下に説明する。図８〜図１０に示すように、防水部材１６は、覆い片１７ａ、１７ｂと、覆い前片１８ａ、１８ｂと、覆い側片１９と、覆い上片２１とを有している。覆い片１７ａ、１７ｂは覆い前片１８ａを介して連続して形成されている。覆い前片１８ｂは覆い片１７ｂの先端側から垂れ下がって形成されている。なお、このように覆い片１７ａ、１７ｂが高さの異なる位置に配設されているのは、防水部材１６が取り付けられるべき横枠２の形状に合わせたものであり、したがってここで説明する防水部材１６の形状については一例である（サッシ１の横枠２の形状に合わせた例である）。覆い側片１９は覆い片１７ａ、１７ｂの一方の側端部から下方に向けて垂れ下がって形成されている。覆い上片２１は覆い片１７ａの覆い前片１８ａが配された反対側の端部から上方に向けて延びて形成されている。防水部材１６の各片を機能的に説明すれば、覆い片１７ａ、１７ｂは上側の接合線７ａ、７ｂを覆い、覆い前片１８ａ、１８ｂは前側の接合線８ａ、８ｂを覆い、覆い側片１９は突出縦片６の上部を覆い、覆い上片２１は接合線８ｃを覆っている。横枠２と縦枠３の継ぎ目となるこれらの接合線を覆う位置に各片を有するものであれば、本発明の防水部材１６として機能する。
【符号の説明】
【００２５】
１：サッシ、２：横枠、３：縦枠、４：壁固定横片、５：突出横片、６：突出縦片、７ａ〜７ｃ：上側の接合線、８ａ〜８ｃ：前側の接合線、９：壁固定縦片、１０：窓、１１：框、１２：ねじ、１３：目隠し板、１４：折り返し部、１５：防水サッシ、１６：防水部材、１７ａ〜１７ｂ：覆い片、１８ａ〜１８ｂ：覆い前片、１９：覆い側片、２０：両面テープ（接合剤）、２１覆い上片
【図１】
2015218483.tif 000003
【図２】
2015218483.tif 000004
【図３】
2015218483.tif 000005
【図４】
2015218483.tif 000006
【図５】
2015218483.tif 000007
【図６】
2015218483.tif 000008
【図７】
2015218483.tif 000009
【図８】
2015218483.tif 000010
【図９】
2015218483.tif 000011
【図１０】
2015218483.tif 000012